(57)【要約】      （修正有）【課題】簡単な構造でありながらボタンにガタつきのない操作パネルボタン構造を提供する。【解決手段】操作パネルに設けた窓孔５０にボタン部材６を進退自在に挿入した構造において、内側と外側の操作パネル間に窓孔内に張り出すガタ取り片７を介在させ、そのガタ取り片にはボタン部材の中間部外周輪郭に接する孔７０を設けている。【選択図】図２
2005259387.tif 000002
【特許請求の範囲】
【請求項１】
操作パネルに設けた窓孔にボタン部材を進退自在に挿入したものにおいて、窓孔内に張り出しかつボタン部材の中間部外周輪郭に合致した孔を有するガタ取り片を、内側と外側の操作パネル間に介在させたことを特徴とする操作パネルのボタン取付け構造。
【請求項２】
ガタ取り片が遮光性の弾性質シートであることを特徴とする請求項１に記載の操作パネルのボタン取付け構造。
【請求項３】
ガタ取り片が透光性の弾性質シートであることを特徴とする請求項1に記載の操作パネルのボタン取付け構造。
【請求項４】
操作パネルの一方が窓孔の周囲にガタ取り片を嵌める位置決め用部を有し、内側と外側の操作パネルを重合わせることでガタ取り片を挟持させている請求項１に記載の操作パネルのボタン取付け構造。
【発明の詳細な説明】
【技術分野】
【０００１】
本発明は操作パネルのボタン取付け構造に関する。
【背景技術】
【０００２】
車載機器たとえばラジオ、ＣＤプレーヤーなどの車載用オーディオ機器においては、プッシュスイッチ、タクトスイッチ、エンコーダなどのスイッチが不可欠であり、操作パネルにはそうしたスイッチ操作のためのボタンが配されている。
【０００３】
かかる操作パネルのボタン取付け構造は、従来、図１(ａ)のように、基板Ａに設けたスイッチＢに対応して操作パネルＣ、Ｄに窓孔ｃ、ｄを設け、この窓孔ｃ、ｄに鍔付きのボタンＥを差込み、先端をスイッチＢに臨ませるように構成されていた。
【０００４】
ボタンＥを並進動作させるために窓孔ｃ、ｄとボタンＥとの間にはクリアランスを有せしめることが必要であり、しかも、ボタンＥは、２枚の操作パネルが重なる関係から、鍔ｅからボタン天面までの距離が長くなる。
このため、前記クリアランスにより、図１(ａ)のようにボタンＥが前後、左右に遊ぶガタが生じ、これにより操作感が芳しくなく、スイッチングに片あたりを生じさせたり、ボタンが窓孔の途中で引っかかったままになったりする危険があった。
また、ボタンＥが天面照明である場合には、光源Ｆと導光部材Ｇを内側操作パネルＤの下方に設けるが、図１(ｂ)のようにクリアランスから照明の光Ｈが漏れてしまうため、ボタンＥの天面の文字等がくっきりと浮かび上がりにくいという問題があった。
【発明の開示】
【発明が解決しようとする課題】
【０００５】
本発明は前記のような問題点を解消するためになされたもので、その目的とするところは、簡単な構造でありながらボタンのガタがない操作パネルのボタン構造を提供することにある。
また、本発明の他の目的は、ガタつき防止と同時に光漏れ防止も実現できる操作パネルの押しボタン装置を提供することにある。
また、本発明の他の目的は、ガタつき防止と同時にボタン周囲の均一な照明も実現できる操作パネルのボタン取付け構造を提供することにある。
【課題を解決するための手段】
【０００６】
上記目的を達成するため本発明は、操作パネルに設けた窓孔にボタン部材を進退自在に挿入したものにおいて、窓孔内に張り出しかつボタン部材の中間部外周輪郭に合致した孔を有するガタ取り片を、内側と外側の操作パネル間に介在させたことを特徴としている。
【発明の効果】
【０００７】
ボタン部材の鍔から天面までの距離が長く、操作パネルの窓孔とボタン部材とのクリアランスが大きくても、ガタ取り片がそのクリアランスを埋めると同時にボタン部材の前後・左右方向のずれを抑制するので、常態においてガタが生じず、操作時には正確に並進動作が行われ、操作フィーリングをよいものにすることができる。また、操作パネルの窓孔とボタン部材のクリアランスを大きくしてもよいので、公差の許容範囲が大きくなり、製作を容易にすることができる。
【発明を実施するための最良の形態】
【０００８】
前記ガタ取り片は代表的には弾性質シートである。これによれば、ガタ取り片が弾性的にボタン部材に接し、ボタン部材の移動時に一緒に撓むので並進動作を妨げず、また、復帰を補助することもできる。
ボタン部材が天面照明タイプである場合、前記ガタ取り片は遮光性のものが選定される。ボタン周囲照明タイプである場合には、前記ガタ取り片は透光性のものが選定される。
【０００９】
好適には、操作パネルの一方が窓孔の周囲にガタ取り片を嵌める位置決め用部を有し、内側と外側の操作パネルを重合わせることでガタ取り片を挟持させている。
これによれば、ガタ取り片を確実に定位置に配置し、ボタン部材を窓孔面から等距離の位置に置くことができので、ガタ防止の実効を上げることができる。
【実施例１】
【００１０】
以下、添付図面を参照して本発明の実施例を説明する。
図２と図３は本発明をボタン天面照明タイプに適用した第１態様を示している。
１はスイッチ（この例ではタクトスイッチ）１０を表面に配した基板であり、奥側に配置される。２は前記基板１に配された光源、３は光源２からの光を導く導光部材(イルミプレート)である。４は導光部材３の前側に配された内側操作パネル、５は前記内側操作パネル４と積層するように配置された外側操作パネルである。
【００１１】
６はボタン部材であり、天面６０を有する柱部６１の下端に鍔６２が設けられ、鍔６２の下面にスイッチ１０に接離する突起６３が設けられている。天面６０から鍔６２に到る部分には照明したい文字などを表した導光路６４が設けられている。
【００１２】
前記内側操作パネル４と外側操作パネル５には、前記スイッチ１０に対応する部位に、前記ボタン部材６の柱部６１を容入しつつ自由な進退移動を許容するに十分な面積の窓孔４０，５０がそれぞれ形成されており、内側操作パネル４の下面側には、ボタン部材６の鍔６２と当接可能なストッパー用のボス４１が設けられている。
【００１３】
本発明は、前記内側操作パネル４と外側操作パネル５の間に、窓孔４０，５０内に水平状に張り出すガタ取り片ないしステー片７を介在させている。ガタ取り片７はボタン部材６の柱部６１の断面輪郭に合致する輪郭をもった孔７０を有している。孔７０は当然に窓孔４０，５０の面積よりも小さい面積である。
ガタ取り片７は硬質材料のシートでもよいが、好ましくは合成ゴムあるいは軟質プラスチックなど弾力質材料からなるシートが用いられるが、この第１態様では、ガタ取り片７は遮光性を有している。
【００１４】
ガタ取り片７の孔７０は窓孔４０，５０の各内面からの距離が等しくなるように位置されることが好ましい。この実施例では、前記ガタ取り片７の位置決め手段として、内側操作パネル４の表面における窓孔４０の周囲にガタ取り片７の外輪郭と合致した凹部４２を形成している。
この凹部４２の深さは、ガタ取り片７の厚さと同じかあるいは適度に浅くし、ガタ取り片７を圧縮するようにする。こうすれば、ガタ取り片７が弾性質の場合には外径方向と厚さ方向が押えられるので、孔７０が適度に縮径してボタン部材６の柱部６１に接触させることができる。
【００１５】
この第１態様においては、ガタ取り片７を内側操作パネル４の凹部４２に嵌め、外側操作パネル５を内側操作パネル４のにあてがってパネルを組み立てる。そして、ボタン部材６を裏側に配して柱部６１をガタ取り片７の孔７０に貫通させ、この状態でスイッチ付きの基板１を固定する。ガタ取り片７の孔７０が柱部６１と接して保持作用が得られるので、ボタン部材６が抜けたりせず、作業が容易となる。
【００１６】
ボタン部材６の柱部６１が長く、かつ内側操作パネル４と外側操作パネル５の窓孔４０，５０と比較的大きなクリアランスを有していても、ボタン部材柱部６１の長さ方向中間部付近にガタ取り片７の孔７０が接しているため、図２のように前記クリアランスが埋められ、ボタン部材６が傾いたり、一側に偏したりせず、整然とした状態に保たれ、外部から振動が作用しても、ボタン部材はガタつかない。
【００１７】
この態様ではガタ取り片７が遮光性であるため、導光部材３を通して導かれた光が窓孔４０，５０とボタン部材６の柱部６１のクリアランスから漏れず、もっぱらボタン部材６内の導光路６３を通して天面６０からのみ放射される。したがって、すっきりとしたボタン照明を実現できる。
【００１８】
ボタン操作時には、ガタ取り片７が弾性を有しているため、ボタン部材６の進入に呼応して撓み、操作をやめれば復元して水平状になる。したがってボタン部材６が確実にもとの位置に復帰し、オンオフのあやふやさの発生を回避できる。
【００１９】
図４と図５は本発明をボタン周囲照明タイプに適用した第２態様を示している。
この実施態様においては、ボタン部材６は遮光性材用で作られている。内側操作パネル４が透光性材料で構成され、導光部材を兼ねている。外側パネル部材５は遮光性材料で構成されている。ガタ取り片７は光透過性あるいは半透過性に構成されている。
他の構成は第１態様と同様であるから、同じ部分に同じ符号を付し、説明は援用する。
【００２０】
この第２態様においても、ボタン部材６の柱部６１の長さ方向中間部付近に水平状に張り出すガタ取り片７の孔７０が接しているため、クリアランスが埋められ、ボタン部材６が傾いたり一側に偏したりせず、がたつきのない整然とした状態に保たれる。
また、光源２の光が導光部材を兼ねた内側操作パネル４からガタ取り片７の厚さ方向を透過して放射されるが、このときに、ガタ取り片７の孔７０がボタン部材６の柱部６１を窓孔４０，５０の中心に位置するように保持しているため、ボタンの周囲を均一に光らせることができる。
【００２１】
図６と図７は本発明をボタン周囲照明タイプに適用した第３態様を示している。
この実施態様においては、基板１にプッシュスイッチ（またはエンコーダ）１０が配置されており、ボタン部材６は遮光性材用で作られ、下面側から所要深さの穴６５が形成され、ここにプッシュスイッチ（またはエンコーダ）１０のロッドが嵌められている。
ている。外側パネル部材５は遮光性材料で構成されており、ガタ取り片７は透光性（半透過性を含む）に構成されている。
他の構成は第１態様と同様であるから、同じ部分に同じ符号を付し、説明は援用する。
【００２２】
この実施態様においても、ボタン部材６の長さ方向中間部付近に水平状に張り出すガタ取り片７の孔７０が接しているため、クリアランスが埋められ、ボタン部材６が傾いたり一側に偏したりせず、がたつきのない整然とした状態に保たれる。
また、光源２からの光が導光部材３を通り、クリアランスを介してガタ取り片７の厚さ方向を透過して放射される。このときに、ガタ取り片７の孔７０がボタン部材６の柱部６１を窓孔４０，５０の中心に位置するように保持しているため、ボタンの周囲を均一に光らせることができる。
【００２３】
前記態様は数例であり、本発明はこれに限定されるものではない。
１)前記第１〜３態様を複数組み合わせてもよい。すなわち、複数のボタンがある場合、あるボタン(天面照明つき)については第１態様を用いて遮光性のガタ取り片７とし、他のボタン(周囲照明付き)については第３態様を用いて透光性のガタ取り片７としてもよい。
２）前記態様では一つのボタンのみを示しているが、複数のボタンが比較的接近して配置されている場合には、図８のように、一枚のガタ取り片７に、ボタンの配置に即した間隔で複数個の孔７０を配してもよい。
【００２４】
３）ガタ取り片７の位置決めの仕方は、前記態様に限られず、凹部を外側操作パネル５の内面に設けてもよい。
４）凹部を用いて外形あわせをするのでなく、図９と図１０のように、ガタ取り片７の孔７０の周囲に複数個の通孔７１を設け、内側操作パネル４には対応する突起４３を設け、内側操作パネル４と外側操作パネル５を重ねることによりガタ取り片７を挟持するとともに、通孔７１と突起４３を嵌合させて左右と前後のずれを止めるようにしてもよい。この態様は、図８のような集合タイプの場合も同じであり、大きな面積のガタ取り片７の周縁部などの適所に通孔を設け、内側操作パネル４には対応する位置に突起を配設すればよい。
このようなガタ取り片７を内側操作パネル４と外側操作パネル５で挟持する形式の場合、ガタ取り片７を緩衝材としても機能させることができる。
【図面の簡単な説明】
【００２５】
【図１】(ａ)は従来のパネルのボタン取付け構造を示す断面図、(ｂ)は光漏れ状態を示す断面図である。
【図２】本発明によるパネルのボタン取付け構造の第１態様を示す断面図  である。
【図３】図２の分解斜視図である。
【図４】本発明の第２実施態様の断面図である。
【図５】図４の分解斜視図である。
【図６】本発明の第３実施態様の断面図である。
【図７】図６の分解斜視図である。
【図８】本発明で採用される他の態様の部分切欠平面図である。
【図９】本発明で採用される他の態様の分解斜視図である。
【図１０】図９の態様の組立て状態を示す断面図である。
【符号の説明】
【００２６】
２  光源
３  導光部材
４  内側操作パネル
５  外側操作パネル
６  ボタン部材
７  ガタ取り片
４０，５０  窓孔
７０  孔
【図１】
2005259387.tif 000003
【図２】
2005259387.tif 000004
【図３】
2005259387.tif 000005
【図４】
2005259387.tif 000006
【図５】
2005259387.tif 000007
【図６】
2005259387.tif 000008
【図７】
2005259387.tif 000009
【図８】
2005259387.tif 000010
【図９】
2005259387.tif 000011
【図１０】
2005259387.tif 000012